(57)【要約】
【課題】  遺影を額装して飾る遺影額であって、遺影を押し花で装飾することにより遺影を気品のある穏やかな雰囲気に見せ、かつ、押し花の劣化を抑制して保存性を高める。
【解決手段】  故人の遺影３の周囲に押し花４を配置して遺影３及び押し花４を密封し、額縁１１に納めてなる遺影額１である。遺影３を押し花４で飾ることにより、遺影を部屋に飾る際に違和感や寂しい印象を抱かせることが無く、故人の威厳を損なうことなく故人を偲ぶことができる。さらに、遺影３及び押し花４は脱酸素剤や乾燥剤等とともに密封されているので、空気中の水分や酸素による劣化および黴や虫害の発生を防止し、長期間にわたって美観を損なうことなく飾ることができる。
【選択図】  図１
0003101310.tif 000002
【実用新案登録請求の範囲】
【請求項１】
遺影と押し花とを重ね合わせ、或いは遺影の周囲に押し花を配置した状態で、前記遺影及び前記押し花を密封して額装したことを特徴とする遺影額。
【請求項２】
前記遺影及び前記押し花を、前記押し花の劣化を抑制する保持剤とともに密封したことを特徴とする請求項１記載の遺影額。
【請求項３】
前記保持剤は乾燥剤及び／または脱酸素剤であることを特徴とする請求項２記載の遺影額。
【請求項４】
前記遺影及び前記押し花の表面側に透明板を配設し、前記遺影及び前記押し花の裏面側に湿気を遮断する防湿シートを配設して、前記透明板及び前記防湿シートによって前記遺影及び前記押し花を密封したことを特徴とする請求項１から３のいずれかに記載の遺影額。
【請求項５】
前記遺影及び前記押し花を脱気して密封したことを特徴とする請求項１から４のいずれかに記載の遺影額。
【請求項６】
湿気を遮断する防湿シートの上に、押し花の劣化を抑制する保持剤を配置し、前記保持剤の上に台板を載せ、さらに前記台板の上に所定の弾性を有するクッションシートを載せて当該クッションシートを装飾布で覆い、前記装飾布の上面において遺影及び押し花を配置し、前記遺影及び前記押し花の上から透明板を載せ、前記透明板の周縁部と前記防湿シートの周縁部とに跨るように樹脂製のシール材を配置することによって前記透明板と前記防湿シートとを接着固定し、前記透明板と前記防湿シートと前記シール材とにより形成される空間内の空気を脱気して遺影密封体を形成し、前記遺影密封体を額装してなることを特徴とする遺影額。
【考案の詳細な説明】
【技術分野】
【０００１】
本考案は、遺影を額装した遺影額に関する。
【背景技術】
【０００２】
人が亡くなった後に遺影を額装して遺影額を作成し、部屋に飾って故人を偲ぶといったことは、従来から広く行われている。また、遺影を額装しただけでなく、年忌や俗名を表示するといった機能や押し花により遺影を装飾できるようにした遺影額も知られている（例えば、特許文献１参照）。
【特許文献１】登録実用新案第３０８００７１号公報
【０００３】
特許文献１に開示された遺影写真用額縁は、年忌等を記入する欄が設けられた所定の台紙の上に遺影を配置し、額に入れて飾るもので、上記台紙の上に押花を貼付けて遺影を飾ることもできるとされている。
遺影に写った故人の表情が硬い場合など、遺影だけを額装すると重く寂しい印象になってしまうことがある。このような場合、上記遺影写真用額縁のように、遺影を花で飾って額装することで、遺影の雰囲気が和らぐという効果がある。
【考案の開示】
【考案が解決しようとする課題】
【０００４】
ところが、遺影を花で飾る場合、上記遺影写真用額縁のように台紙に花を貼付けただけでは、花が容易に劣化してしまい、装飾の効果が著しく損なわれるという問題があった。花は湿気等によって容易に変質・劣化するものであり、黴や虫害が発生することもある。従って、単に額に入れただけの状態では長期間の保存に耐えられない。
遺影を飾る花が著しく劣化してしまえば、美観が著しく損なわれ、遺影が余計に寂しく感じられる。これでは、故人を偲ぶという本来の目的にそぐわないばかりか、遺影を汚損することにもなりかねず、遺影を丁重に扱いたいという遺族の意思に反してしまう。このため、遺影とともに花を額装した場合は、押し花がある程度劣化したら交換する等の管理をしなければならなかった。
【０００５】
そこで、本考案は、遺影を押し花で装飾して額装した遺影額において、押し花の劣化を抑え、美観を損なうことなく長期間飾っておけるようにすることを目的とする。
【課題を解決するための手段】
【０００６】
上記の目的を達成するため、請求項１記載の考案の遺影額は、遺影と押し花とを重ね合わせ、或いは遺影の周囲に押し花を配置した状態で、前記遺影及び前記押し花を密封して額装したことを特徴とする。
【０００７】
請求項２記載の考案は、請求項１記載の遺影額において、前記遺影及び前記押し花を、前記押し花の劣化を抑制する保持剤とともに密封したことを特徴とする。
【０００８】
請求項３記載の考案は、請求項２記載の遺影額において、前記保持剤は乾燥剤及び／または脱酸素剤であることを特徴とする。
【０００９】
請求項４記載の考案は、請求項１から３のいずれかに記載の遺影額において、前記遺影及び前記押し花の表面側に透明板を配設し、前記遺影及び前記押し花の裏面側に湿気を遮断する防湿シートを配設して、前記透明板及び前記防湿シートによって前記遺影及び前記押し花を密封したことを特徴とする。
【００１０】
請求項５記載の考案は、請求項１から４のいずれかに記載の遺影額において、前記遺影及び前記押し花を脱気して密封したことを特徴とする。
【００１１】
請求項６記載の考案は、湿気を遮断する防湿シートの上に、押し花の劣化を抑制する保持剤を配置し、前記保持剤の上に台板を載せ、さらに前記台板の上に所定の弾性を有するクッションシートを載せて当該クッションシートを装飾布で覆い、前記装飾布の上面において遺影及び押し花を配置し、前記遺影及び前記押し花の上から透明板を載せ、前記透明板の周縁部と前記防湿シートの周縁部とに跨るように樹脂製のシール材を配置することによって前記透明板と前記防湿シートとを接着固定し、前記透明板と前記防湿シートと前記シール材とにより形成される空間内の空気を脱気して遺影密封体を形成し、前記遺影密封体を額装してなることを特徴とする遺影額である。
【考案の効果】
【００１２】
本考案によれば、遺影を押し花で飾ることにより、遺影が、故人の表情が硬い写真や全体的な雰囲気が暗い写真であった場合も、明るく華やかな雰囲気にしたり、穏やかで気品のある雰囲気に見せたりすることができる。当然のことながら、遺影は、残っている生前の写真の中から選ばざるを得ず、撮り直すことはできない。このため、遺影に最適な写真が入手できるとは限らない。そこで、遺影を押し花で装飾すれば、遺族が故人を偲んで遺影を飾る際に、違和感や寂しい印象を抱かせることが無いので、故人の威厳を損なうことなく、良き思い出として故人を偲ぶことができる。さらに、例えば故人が好きだった花で遺影を飾ることにより、故人の希望に即した形で遺影を飾ることができ、故人を偲ぶという目的には最適である。
また、遺影と押し花とを密封することにより、押し花が湿気や酸素によって劣化するのを抑え、黴や虫害の発生を防止できるので、長期間にわたって美観が損なわれない。これにより、押し花の劣化を気にすることなく飾っておくことが可能である。
【００１３】
さらに、押し花の劣化を抑制する保持剤とともに遺影と押し花を密封することにより、押し花の劣化をより確実に抑制し、長期間にわたって美観を損なうことなく飾っておくことが可能である。特に、押し花は湿気によって著しく劣化するので、保持剤として乾燥剤を用いれば、湿気による押し花の劣化を強く抑制できる。また、保持剤として脱酸素剤を用いれば、黴や虫害を確実に防止できる上、空気中の酸素の存在による押し花の劣化（酸化による変色等）を防止できる。また、乾燥剤および脱酸素剤による効果は、押し花だけでなく遺影の劣化の抑制にも寄与する。また、遺影及び押し花を密封する際に脱気することにより、空気中の湿気および酸素による押し花の劣化をさらに確実に抑制することが可能となり、より長い期間にわたって、美観を損なうことなく飾ることができる。
【００１４】
また、遺影及び押し花の表面側に透明板を配設し、遺影及び押し花の裏面側に湿気を遮断する防湿シートを配設して、透明板及び防湿シートにより遺影及び押し花を密封することにより、湿気の浸入を防止して押し花の著しい劣化を避けることができる。特に、透明板によって遺影及び押し花が覆われるので、遺影と押し花を密封した後は額縁に納めるだけで額装が完了する。このため、極めて簡単に額装することができる上、後から額縁のみを交換することも容易である。
【考案を実施するための最良の形態】
【００１５】
以下、本考案の実施の形態を図面に基づき説明する。
図１は、本考案の実施の形態における遺影額１の正面図である。図２は、遺影額１の構成を示す分解斜視図である。
図１及び図２に示すように、遺影額１は、故人の生前の写真である遺影３の周囲に１または複数の押し花４を配置して密封した遺影密封体２を、額縁１１にはめ込んで裏板１２によって固定したものである。
【００１６】
図３は、遺影密封体２の正面図であり、図４は、遺影密封体２の構成を示す分解斜視図である。
遺影密封体２は、透明板２１と防湿シート２６との間に、遺影３、押し花４、装飾布２２、クッションシート２３、台板２４及び保持剤２５を挟み、シール材２７によって密封したものである。
【００１７】
透明板２１はアクリル等の透明な合成樹脂板またはガラス板であり、装飾布２２は、サテン等の布地である。装飾布２２は遺影３の背景となるものであり、その色や材質は任意である。また、装飾布２２に代えて紙や不織布を用いることも可能である。
クッションシート２３は、所定の弾性を有し、その厚み方向に収縮可能なクッション材（例えばスポンジ等）を薄板状に形成したものである。クッションシート２３の弾性によって押し花４の厚みを吸収するので、後述する脱気を行った場合に、押し花４を押し潰さないで、すなわち押し花４の立体感や質感を生かしたまま密封できる。
台板２４は遺影密封体２の形状を板状に保つための硬質の板である。台板２４としては、合成樹脂板や木製の板、或いは厚紙等を用いることができる。
保持剤２５は、押し花４の劣化を抑制し、保存性を高めるための乾燥剤や脱酸素剤等である。図４に示す例では、予め所定のパックに収められた保持剤２５を複数用いている。なお、遺影密封体２を額縁１１に納める際には遺影密封体２が薄い方が好ましいので、パックに収められた保持剤２５を用いるときは、複数のパックが重ならないように配置すると良い。
防湿シート２６は、湿気を遮断し、気密性を保持することが可能なシートであり、例えばアルミ箔等の金属箔、或いは、これら金属箔を合成樹脂等により被覆したシートを用いることができる。防湿シート２６は、後述するように遺影密封体２を作成する作業、および遺影密封体２を額縁１１に額装する作業において、遺影密封体２の中身を確実に密封し、かつ、破れ等を生じないように、所定の柔軟性と強度を有することが望ましい。
シール材２７は、防湿シート２６と透明板２１とを固定するための合成樹脂等を用いた接着剤または粘着材である。シール材２７は、遺影密封体２の作成後に、気密性を保ち、湿気を遮断する機能を保持できることが好ましい。
【００１８】
なお、クッションシート２３および台板２４は、透明板２１と防湿シート２６との間に挟まれて密封されるものであるから、透明板２１及びシール材２７の外形寸法よりも小さく形成されている。また、装飾布２２はクッションシート２３の外形寸法に合わせて端を折り畳み、或いは切断することが望ましく、遺影３及び押し花４は装飾布２２からはみ出さないように配置される。
【００１９】
次に、遺影密封体２を作成する作業手順について説明する。
まず、防湿シート２６の上に保持剤２５を配置し、保持剤２５の上に台板２４を載せる。続いて、台板２４の上にクッションシート２３を載せ、装飾布２２によって、クッションシート２３が露出しないようにクッションシート２３の表面を覆う。ここで、装飾布２２の端部を台板２４の裏側まで回り込ませ、接着剤等で台板２４に固定しても良い。
【００２０】
その後、装飾布２２の上に遺影３と押し花４を配置する。遺影３と押し花４との位置関係は任意であって、遺影３の上に押し花４が重なっても良いし、押し花４の上に遺影３を重ねても良く、遺影３の周囲を取り巻くように押し花４を配置しても良い。押し花４の数や押し花４に用いる花の種類は任意である。
【００２１】
遺影３と押し花４の配置が完了した後、防湿シート２６の周縁部にシール材２７を塗布し、透明板２１を重ねて、透明板２１と防湿シート２６を接着固定する作業を行う。
この作業においては、シール材２７を塗布した後、シール材２７をまたぐように、すなわち遺影密封体２の内外に挿通するように中空の管（図示略）を置き、その後、上記管の上から透明板２１を載せ、透明板２１とシール材２７とを圧迫する。続いて、遺影密封体２の外側において上記管の先に真空ポンプ（図示略）等を接続し、遺影密封体２の内部の空気を吸い出して脱気を行う。遺影密封体２内部の空気の大半を吸い出したところで、シール材２７の裏面側から上記管を圧迫して押し潰しながら、上記管を遺影密封体２の外側に引き抜く。これにより、遺影密封体２の内部の空気が抜かれた状態で、透明板２１とシール材２７の間が密封される。なお、脱気の際には、真空ポンプを用いずに人が上記管をくわえて口で空気を吸い出しても良い。
【００２２】
このように作成された遺影密封体２は、図３に示すように、遺影３が押し花４によって装飾され、穏やかな印象を与えるものとなる。なお、遺影密封体２の周縁部分においてシール材２７が透けて見えるが、この部分は、遺影密封体２を額縁１１に納めた際に額縁１１に隠れるため、美観上の問題は無い。
【００２３】
なお、クッションシート２３と台板２４とを重ね、クッションシート２３の前面から台板２４の裏側の一部までを装飾布２２で覆ったユニットを、予め作成しておくことも可能である。この場合、防湿シート２６の上に保持剤２５と上記ユニットを重ねて置き、その上に遺影３と押し花４を配置するだけで良く、作業性の向上が期待できる。
【００２４】
以上説明した遺影額１は、故人の遺影３を押し花４で飾ることにより、遺影３が、故人の表情が硬い写真や全体的な雰囲気が暗い写真であった場合も、明るく華やかな雰囲気にしたり、穏やかで気品のある雰囲気に見せたりすることができるという利点を有する。従って、遺族が故人を偲んで遺影を部屋に飾る際に、違和感や寂しい印象を抱かせないので、故人の威厳を損なうことなく、良き思い出として故人を偲ぶことができる。
【００２５】
また、透明板２１と防湿シート２６との間に押し花４を密封することにより、押し花４の湿気による劣化を防止できるので、押し花４の著しい劣化を回避し、長期間にわたって美観を損なうことなく飾っておくことが可能である。さらに、遺影額１においては押し花４を保持剤２５とともに密封したので、押し花４の劣化をより強く抑制できる。特に、押し花は湿気によって著しく劣化するので、保持剤２５として乾燥剤を用いると、押し花４の劣化を強く抑制できる。また、保持剤２５として脱酸素剤を用いれば、黴や虫害を防止することができる上、空気中の酸素の存在による押し花４の劣化（酸化による変色等）を防止できる。また、乾燥剤および脱酸素剤による効果は、押し花４だけでなく遺影３の劣化の抑制にも寄与する。さらに、遺影３及び押し花４を密封する際に脱気を行うことにより、空気中の湿気および酸素による押し花４の劣化をさらに抑制することが可能となり、遺影額１をより長い期間にわたって、美観を損なうことなく飾ることができる。
【００２６】
また、遺影３及び押し花４を防湿シート２６と透明板２１との間に密封することにより、湿気の浸入をより確実に防止できる。さらに、透明板２１によって遺影３及び押し花４が覆われるので、遺影密封体２を作成した後は額縁に納めるだけで済み、更なるガラス板やアクリル板等を用いることなく、額装作業が完了する。このため、額装の作業が極めて簡単な上、後から額縁１１のみを交換することも容易である。
【００２７】
なお、透明板２１が透明であるため、遺影３及び押し花４は、極めてゆっくりとではあるが外部からの光線により劣化（変色・退色）する。しかしながら、経年変化によって写真がセピア色に変わることは自然な変化として受け入れられることが多く、必ずしも避けるべきこととはいえない。上述のように、遺影額１に密封された押し花４は湿気により劣化することがないため、遺影３に合わせて自然に変色・退色していく。従って、遺影額１を長期間飾っておくことで、遺影３と押し花４とがともに自然に劣化して、重厚な雰囲気を醸し出すという副次的な効果が期待できる。しかしながら、光線による劣化をも防止するため、透明板２１の表面に、紫外線や赤外線の透過を防ぐコーティング等を施すことも可能である。この場合、紫外線や赤外線による遺影３及び押し花４の劣化をも防止できるので、遺影額１を長期間にわたって飾っても遺影３及び押し花４の外観が殆ど変化しないという利点がある。
【図面の簡単な説明】
【００２８】
【図１】本考案の実施の形態における遺影額の正面図である。
【図２】図１の遺影額の構成を示す分解斜視図である。
【図３】図２の遺影密封体の正面図である。
【図４】図３の遺影密封体の構成を示す分解斜視図である。
【符号の説明】
【００２９】
１  遺影額
２  遺影密封体
２１  透明板
２２  装飾布
２３  クッションシート
２４  台板
２５  保持剤
２６  防湿シート
２７  シール材
３  遺影
４  押し花
【図１】
0003101310.tif 000003
【図２】
0003101310.tif 000004
【図３】
0003101310.tif 000005
【図４】
0003101310.tif 000006